(57)【特許請求の範囲】
【請求項１】
板状の庇(11)と、
前記庇(11)の基端側に沿って前記庇(11)と直交するように立設されて装着者(M)の顔に接触する当接帯(13)を有し前記庇(11)を前記装着者(M)の目と頬の間又はその頬から前方に向かって突出させた状態で固定する装着具(12)と
を備え、
前記当接帯(13)の前記装着者(M)の鼻に接触する部分に前記鼻の膨らみに応じた撓み(13a)又は切り欠きが形成された
ことを特徴とする目の下の鍔。
【請求項２】
装着具(12)が、当接帯(13)の両端部に設けられて前記当接帯(13)とともに環状をなすように構成されたサイズ調整帯(14)を有する請求項１記載の目の下の鍔。
【請求項３】
庇(11)の基端側に装着者(M)における鼻柱との接触を回避する凹部(11a)が形成された請求項１又は２記載の目の下の鍔。
【請求項４】
庇(11)は、幅方向の中央が上方に盛り上がる山形状に形成された請求項１又は２記載の目の下の鍔。
【発明の詳細な説明】
【技術分野】
【０００１】
本発明は、路面等により跳ね返る反射日光を遮断するための目の下の鍔に関するものである。
【背景技術】
【０００２】
従来、太陽からの直射日光を遮断して、その直射日光が照らすことによる眩しさを軽減するためのものとして、人の頭部に装着される装着部と、装着部の少なくとも前方に設けられてこの帽子を装着した者の目の上を覆う上側鍔とを備えた鍔付き帽子が知られている。そして、この鍔付き帽子における上側鍔が上方からの直射日光を遮断して、装着者の目にその直射日光が直接差し込まないようにしている。これにより、この鍔付き帽子を装着した装着者の目を太陽の直射日光が照らすようなことは回避され、その装着者が眩しさを感じることを防止している。
【０００３】
しかし、装着者の目の上を覆うような上側鍔を有する鍔付き帽子は、上方からの直射日光に対しては有効に機能するけれども、鍔付き帽子を装着した装着者の目を照らす光は上方からの直射日光に限られない。このため、一日中特に釣りをしている人達や、常に屋外の作業に従事する人達の日除けにはこのような鍔付き帽子だけでは防げない問題がある。即ち、例えば、釣り人の場合には直射日光が海水面に当たり、その海水面により反射した日光が目を照らして、その光により眩しさを感じることがある。また屋外専門の作業をしている人には、路面により跳ね返る反射日光が目に入って眩しさを感じる場合もある。特に、冬季の積雪面等により反射する反射日光は比較的紫外線が強いものであり、そのような反射日光が目を比較的長い時間照らした場合、俗に「ゆきめ」と呼ばれる紫外線によって起こる目の角膜炎を生じさせるようなこともある。
【０００４】
このような反射日光等を遮断して目を保護する要求から、樹脂板からなるお面体の上部に、鍔付き帽子の上側鍔が入る溝穴を設けてその上側鍔に装着可能とする日除けお面体が提案されている（例えば、特許文献１参照。）。この日除けお面体では、その溝穴を鍔付き帽子の上側鍔に入れると、そのお面体が垂直に顔の前面を覆う設定になっており、上方からの直射日光以外の光を遮蔽するとしている。
【先行技術文献】
【特許文献】
【０００５】
【特許文献１】特開２００７−２８４８５３号公報
【発明の概要】
【発明が解決しようとする課題】
【０００６】
しかし、上記従来の日除けお面体は、鍔付き帽子の上側鍔が入る溝穴を設けてその上側鍔に装着するものである。このため、このような日除けお面体にあっては、上側鍔の形状が異なるような他の鍔付き帽子に取付けることができずに、その上側鍔が異なる鍔付き帽子毎にこの日除けお面体を準備する必要がある。このため、鍔付き帽子の種類が増加すると、それらに使用される日除けお面体の種類も増加して、それらの管理負担が増加する不具合があった。また、このお面体は、顔の前面を覆うことからまた、そのお面が汚れてしまった場合には、前方の視界が遮られてしまう不具合もある。
【０００７】
また、この日除けお面体は、鍔付き帽子の上側鍔に装着されるものであるので、鍔付き帽子を頭部に装着した者の顔とそのお面体との間の下方に隙間が生じる。このため、長時間同じ場所にたたずむ釣り人や屋外での作業員の場合、水面からの反射日光や、路面の熱気を帯びた真下からの跳ね返りの反射日光が顔とそのお面体との間から進入して目を照らすことがあるので、目の保護に欠け、その反射日光により眩しさを回避し得ないという未だ解決すべき課題が残存していた。
【０００８】
本発明の目的は、前方の視界を遮ることなく、太陽からの直射日光が海水面や地上面に当たって反射した反射日光による眩しさを回避し得る目の下の鍔を提供することにある。
【課題を解決するための手段】
【０００９】
本発明は、板状の庇と、その庇の基端側に沿って庇と直交するように立設されて装着者の顔に接触する当接帯を有し庇を装着者の目と頬の間又はその頬から前方に向かって突出させた状態で固定する装着具とを備え、当接帯の装着者の鼻に接触する部分に鼻の膨らみに応じた撓み又は切り欠きが形成されたことを特徴とする目の下の鍔である。
【００１０】
その装着具は、当接帯の両端部に設けられてその当接帯とともに環状をなすように構成されたサイズ調整帯とを有することが好ましく、庇の基端側に装着者における鼻柱との接触を回避する凹部が形成されることが好ましい。一方、庇は、幅方向の中央が上方に盛り上がる山形状に形成することが好ましい。
【発明の効果】
【００１１】
本発明の目の下の鍔では、この目の下の鍔を装着した装着者の視界前方下方を覆う庇を備えるので、太陽からの直射日光が海水面、地上面に当たり真下から受ける反射日光をその庇が遮断して、反射日光による眩しさを回避することができる。
【００１２】
また、本発明の目の下の鍔では、庇を装着者の目と頬の間又はその頬から前方に向かって突出させた状態で固定する装着具を備えたので、従来の鍔付き帽子とともに用いられる日除けお面と異なり、鍔付き帽子の有無にかかわらず、この目の下の鍔自体を装着者が装着することができる。このため、異なる種類の鍔付き帽子であっても、本発明における単一の目の下の鍔を用いることができ、その種類が増加するようなことはない。
【００１３】
更に、本発明の目の下の鍔では、視界前方下方を覆う庇を備えるけれども、視界前方を遮るようなものはない。このため、この目の下の鍔を装着した者の前方における視界が本発明の目の下の鍔により遮られるようなことはない。
【図面の簡単な説明】
【００１４】
【図１】本発明実施形態の目の下の鍔を装着した者の側面図である。
【図２】その目の下の鍔を装着した者の正面図である。
【図３】その目の下の鍔を斜め上方から見た斜視図である。
【図４】その目の下の鍔を斜め下方から見た斜視図である。
【図５】本発明の別の目の下の鍔を斜め上方から見た斜視図である。
【図６】その別の目の下の鍔を装着した者の側面図である。
【図７】本発明の更に別の目の下の鍔を斜め上方から見た斜視図である。
【図８】その更に別の目の下の鍔を装着した者の側面図である。
【発明を実施するための形態】
【００１５】
次に、本発明を実施するための最良の形態を図面に基づいて説明する。
【００１６】
図１〜図４に、本発明の目の下の鍔１０を示す。本発明の目の下の鍔１０は、板状であって三日月形状や半月形状を成す庇１１と、その庇１１を装着者Ｍの目と頬の間又はその頬から前方に向かって突出させた状態で固定する装着具１２とを備える。この庇１１は、装着者Ｍの視界前方下方を覆うものであって、ポリエチレン等の僅かに可倒性を有する樹脂からなる板状の薄い芯材（図示せず）を三日月形状や半月形状として、これに反りを与えて布などで被覆加工したものが例示される。また、この庇１１は、板状であるけれども、幅方向の中央が上方に盛り上がる山形状に形成される。この庇１１を山形状とすることにより、この目の下の鍔１０の装着者Ｍにおける鼻柱と庇１１が直接接触するような事態を回避するように構成される。
【００１７】
一方、この庇１１を装着者Ｍに固定する装着具１２は、その庇１１の基端側に立設されて装着者Ｍの顔に接触する当接帯１３と、その当接帯１３の両端部からそれぞれ延出する布製のサイズ調整帯１４とを有する。板状の庇１１は、その基端側における芯材を被覆した布が、当接帯１３の上端縁に縫着され、これによりこの当接帯１３はその庇１１の基端側に立設される。この当接帯１３には、それが装着者Ｍの顔に接触したときに外観上の違和感を生じさせないように、庇１１の外表面における布と同一の布が用いられる。また、この当接帯１３は、その庇１１の基端側に沿って、庇１１と直交するように設けられ、装着者Ｍの鼻に接触する部分は、その鼻の膨らみに応じて撓み１３ａ（図４）が形成される。この撓み１３ａにより、この当接帯１３は、装着者Ｍの鼻、及びその鼻のの両側であって装着者の目と頬の間又はその頬に面接触可能に設けられる。
【００１８】
このような当接帯１３の両端部に設けられて装着具１２を構成するサイズ調整帯１４は、当接帯１３の両端部に設けられて、その当接帯１３とともに環状をなすように構成される。図における当接帯１３は、例えば、５０ｃｍ程度の長さを有しており、その幅は２〜４ｃｍ程度のものを例示する。そして、この実施の形態におけるサイズ調整帯１４は、当接帯１３の両端部からそれぞれ延出して設けられ、先端に矩形枠状の環１４ｃが取付けられた３〜７ｃｍ程度の長さの短帯１４ａと、先端から５〜７ｃｍ程度の範囲の外周側に雄の着脱自在テープ１４ｅが縫着され基端から４〜６ｃｍ程度の範囲の外周側に雌の着脱自在テープ１４ｄが縫着された全長が１０〜１８ｃｍ程度の長帯１４ｂとからなり、長帯１４ｂを環１４ｃに通した状態で適当な位置で折り返して雄雌の着脱自在テープ１４ｅ，１４ｄを係合させることで、このサイズ調整帯１４と当接帯１３から成り、環状を成す装着具１２の円周長を調節できるように構成される。
【００１９】
このように構成された本発明における目の下の鍔１０は、図１及び図２に示すように、通常、装着者Ｍの目の上を覆う上側鍔２１を備えた一般的な鍔付き帽子２０を装着した者が必要に応じて用いられる。図では、いわゆる野球帽型の鍔付き帽子２０を示し、このような上側鍔２１を備えた鍔付き帽子２０を頭部に装着すると、その装着者Ｍの視界上方に上側鍔２１が位置することになるため、その鍔付き帽子２０における上側鍔２１は、真上からの直射日光を遮ってその光が直接装着者Ｍの目を照らすことを防止して、それによる眩しさを回避する。
【００２０】
一方、日照りの強い日に、例えば一日中屋外に立ち尽くす釣り人や、道路工事の交通整理の人達には、太陽からの光が海水面又は路面に当たり、下からの跳ね返りによる反射日光をも避ける必要がある。このような場合に、本発明の目の下の鍔１０を上述した鍔付き帽子２０とともに用いる。
【００２１】
本発明の目の下の鍔１０の装着にあっては、図１及び図２に示すように、その当接帯１３を装着者Ｍの鼻の両側であって目と頬の間又はその頬に接触させ、庇１１を装着者Ｍの目の下側から前方に突出した状態に維持させる。このように庇１１を装着者Ｍの目と頬の間又はその頬から前方に向かって突出させた状態で、環状を成す装着具１２のサイズ調整帯１４を後頭部上方に位置させて、その環１４ｃに通した長帯１４ｂを引っ張って環状を成す装着具１２の円周長を減少させ、当接帯１３を装着者Ｍの目と頬の間又はその頬に接触した状態で維持する。この状態でその長帯１４ｂを折り返し、雄雌の着脱自在テープ１４ｅ，１４ｄを係合させることで庇１１を装着者Ｍの目の下側から前方に突出した状態に固定する。すると、目の下に位置する庇１１は、海水面又は路面に当たり、下からの跳ね返りによる反射日光を遮り、その光が装着者Ｍの目を直接照らすようなこと防止して眩しさを軽減する。
【００２２】
特に、この庇１１は、その幅方向の中央が上方に盛り上がる山形状に形成したので、その庇１１の顔に臨む基端側が、装着者Ｍの鼻と当接することを回避することができる。そして、その山形を成す中央部分が鼻に適合して、その鼻周囲から入るような反射日光を有効に遮蔽する。また、その庇１１の顔に臨む基端側に設けられた当接帯１３は、装着者Ｍの鼻の両側であって目と頬の間又はその頬に接触するので、この当接帯１３とともにその庇１１は、その鼻周囲から入るような反射日光を確実に遮蔽して、その反射日光が装着者Ｍの目を照らすような事態を有効に回避することができる。
【００２３】
また、本発明の目の下の鍔１０では、通常の鍔付き帽子２０を装着した者に対して、その鍔付き帽子２０の上から装着するものであるので、従来の日除けお面のように、鍔付き帽子２０の鍔の形状が異なるものであっても、そのような鍔付き帽子２０とともに、本発明の単一の目の下の鍔１０を装着することができる。このため、目の下の鍔１０の種類が増えるようなことはなく、その管理負担が増加するような事態を回避することができる。
【００２４】
更に、本発明の目の下の鍔１０では、視界前方下方を覆う庇１１を備えるけれども、視界前方を遮るようなものはない。このため、この目の下の鍔１０を装着した者の前方における視界が本発明の目の下の鍔１０により遮られるようなことはない。
【００２５】
なお、上述した実施の形態では、一般的な野球帽型の鍔付き帽子２０を装着した者に、その鍔付き帽子の上に装着具１２を巻回させて、本発明の目の下の鍔１０が装着される場合を説明したけれども、本発明の目の下の鍔１０とともに用いる鍔付き帽子２０は野球帽型のものに限られず、釣り用帽子、麦藁帽子、周囲に鍔が設けられたハット型の帽子、又はいわゆるサンバイザー等の鍔付き帽子であっても良い。このような鍔付き帽子の上に装着具１２を巻回させることが困難な場合には、本発明の目の下の鍔１０を装着した後に、その装着具１２を覆うように鍔付き帽子を装着者が被るようにしても良い。そして、視界上方からの直射日光を遮る必要がなく、下方からの反射光のみを遮断する必要がある場合には、一般的な鍔付き帽子２０を装着することなく、本発明の目の下の鍔１０のみを装着するようにしても良い。
【００２６】
また、上述した実施の形態では、装着者Ｍの顔に接触する当接帯１３において、装着者Ｍの鼻に接触する部分にその鼻の膨らみに応じた撓み１３ａ（図４）が形成される例を示したけれども、そのような撓みを形成することが困難な場合には、図示しないが、当接帯１３の装着者Ｍの鼻に接触する部分を切り欠くようにして、その切り欠きにより当接帯１３を鼻に接触させないようにしても良い。
【００２７】
また、上述した実施の形態では、短帯１４ａと長帯１４ｂを有するサイズ調整帯１４を用いて説明したが、このサイズ調整帯１４は、環状を成す装着具１２の円周長を調節可能である限り、図示しないが、例えば、当接帯１３の両端部から頭周りに延出するようにそれぞれ取付けられた雄の着脱自在テープと雌の着脱自在テープから成るようなものであっても良い。この場合、この雄の着脱自在テープと雌の着脱自在テープの係合する位置をその長手方向で変更調整することにより、装着具１２の円周長を調節することが可能になる。
【００２８】
また、このサイズ調整帯は、図５に示すように、当接帯１３の両側端を連結するように設けられた弾性体である帯状のゴム紐２４であっても良い。具体的には、ゴム紐２４の一端が当接帯１３の一端に逢着され、そのゴム紐２３の他端が当接帯１３の他端に逢着される。よって、サイズ調整帯であるゴム紐２４と当接帯１３とから成る環状の装着具１２は、この弾性体である帯状ゴム紐２４により、その円周長を変更可能に構成される。そして、この弾性体である帯状ゴム紐２４は、図６に示すように、当接帯１３が装着者Ｍの目と頬の間又はその頬に接触した状態で、当接帯１３の両端を側頭部方向にそれぞれ引っ張るので、その当接帯１３は装着者Ｍの目と頬の間又はその頬に接触した状態で維持される。よって、サイズ調整帯が弾性体である帯状のゴム紐２４から成る場合には、環状の装着具１２の円周長を比較的容易に変更することが可能になるので、比較的容易に庇１１を装着者Ｍの目の下側から前方に突出した状態で固定することができる。
【００２９】
また、上述した実施の形態では、幅方向の中央が上方に盛り上がる山形状に庇１１を形成して、その庇１１が装着者Ｍにおける鼻柱と接触するような事態を回避するようにしたけれども、庇１１が装着者Ｍにおける鼻柱と接触するような事態を回避し得る限り、図５及び図６に示すように、その庇１１は平坦なものであっても良い。このように庇１１を平坦なものとする場合には、装着者Ｍにおける鼻柱との接触を回避する凹部１１ａをその庇１１の鼻に対向する基端側に形成することが好ましい。
【００３０】
また、上述した実施の形態では、薄い芯材を布などで被覆加工した庇１１を例示してその布と同一の布により当接帯１３が形成される場合を例示したけれども、当接帯１３は庇１１に用いられる布と異なるものを用いても良く、庇１１や当接帯１３は布により被覆されない樹脂成型品からなる、いわゆるプラスチック製のものであっても良い。
【００３１】
また、上述した実施の形態では、装着具１２が、当接帯１３とサイズ調整帯１４により環状をなすものを例示したけれども、庇１１を装着者Ｍに固定しうる限り、この装着具１２は環状を成さなくても良い。例えば、図７及び図８に示すように、装着具２２はその庇１１の装着者Ｍの顔に対向する基端部の両側から、その装着者Ｍの側頭部に延びてこの庇１１と共にＵ字状を成し、その装着者の耳に係止可能に構成されたフック状のものであっても良い。このような装着部２２を有する目の下の鍔１０にあっては、一般的な眼鏡を装着する動作と同様にして、そのフック状の装着具２２の先端を耳にかけることにより、その庇１１を装着者Ｍの目と頬の間又はその頬から前方に向かって突出させた状態で固定することができる。
【００３２】
図７及び図８に示すように、このフック状の装着具２２を有する目の下の鍔１０は、その装着具２２及び庇１１を樹脂成形により一体的に形成した、いわゆるプラスチック製のものであることが好ましい。即ち、この装着具２２及び庇１１はプラスチック製であって、三日月形状や半月形状に形成された庇１１は、その基端側が装着具２２に連結して設けられることが好ましい。このような目の下の鍔１０にあっても、そのフック状の装着具２２により、装着者Ｍの目の下側から前方に突出した状態で固定された庇１１は、海水面又は路面からの跳ね返りによる反射日光を遮り、その光が直接装着者Ｍの目を照らすことを防止して眩しさを軽減させることができる。
【００３３】
また、上述した実施の形態では、当接帯１３及びサイズ調整帯１４において、具体的な数値を例示して説明したが、それらを有する装着具１２が頭部に装着可能である限り、当接帯１３及びサイズ調整帯１４はこの明細書に例示する数値に限定されるものではなく、この数値から逸脱するような当接帯１３及びサイズ調整帯１４を有する装着具１２であっても良い。
【００３４】
また、上述した実施の形態では、三日月形状や半月形状を成す庇１１を用いて説明したけれども、反射日光をその庇１１が遮断し得る限り、庇１１の外形は三日月形状や半月形状に限らず、方形状やその他の形状であっても良い。
【００３５】
更に、本発明の目の下の鍔１０は、発明の趣旨を逸脱しない範囲で適宜変更することができる。例えば、装着具１２の外面や庇１１の上面又は下面に様々な装飾や着色を施して需要者の購買意欲を刺激したり、宣伝広告のための情報（文字や絵柄）を印刷・刺繍等してやることもできる。
【符号の説明】
【００３６】
１０  目の下の鍔
１１  庇
１２  装着具
１３  当接帯
１４  サイズ調整帯
２２  装着具
２４  弾性体（サイズ調整帯）
【図１】
0005869861.tif 000002
【図２】
0005869861.tif 000003
【図３】
0005869861.tif 000004
【図４】
0005869861.tif 000005
【図５】
0005869861.tif 000006
【図６】
0005869861.tif 000007
【図７】
0005869861.tif 000008
【図８】
0005869861.tif 000009